(57)【要約】【課題】本発明は、施工性が良く、構造物への重量負荷を低減することの可能な排水マット、植生基盤及び植生基盤の施工方法を提供する。【解決手段】排水マットは、保護シート２の表面に、複数の排水ドレン３が並列配置されており、保護シート２の表面及び排水ドレン３の外周面を一様に覆うように耐根兼透水シート４が配置されることにより形成されている。該排水マットを用いた植生基盤７は、人工地盤５上の所定位置に排水マットを配置した後、外周縁を立ち上げ排水ピット８を形成し、排水ピット８の内方に、土壌６を盛るのみで完了する。【選択図】  図４
2005027561.tif 000002
【特許請求の範囲】
【請求項１】
人工地盤の表面を保護する保護シートと、
該保護シートの幅方向に延在し、長さ方向に所定の離間間隔をもって複数が平行に配置されて、保護シートの表面に固定手段を介して固定されており、保護シートの幅と比較して短小な部材長を有する排水ドレンと、
前記保護シートの表面、及び排水ドレンの周面を一様に覆うように固着手段を介して固着されており、保護シート及び排水ドレンと植裁の根との接触を防止する耐根兼透水シートにより構成されることを特徴とする排水マット。
【請求項２】
請求項１に記載の排水マットを用いた植生基盤であって、
前記排水マットの外周縁を立ち上げて形成した排水ピットと、
該排水ピットの内方で、所定の層厚まで盛られた土壌により構成されることを特徴とする植生基盤。
【請求項３】
請求項２に記載の植生基盤において、
前記排水ピットを構成する排水マットの排水ドレンが、その両端部を長さ方向に連結可能な形状に成形されており、
前記排水ピットが、複数の排水マットを幅方向に連接して、隣り合う排水ドレンの端部どうしを連結するとともに、隣り合う保護シートどうし及び耐根兼透水シートどうし各々の端部を重ね合わせて固着手段を介して固着することにより構成されたユニットの、外周縁を立ち上げて形成されることを特徴とする植生基盤。
【請求項４】
請求項２に記載の植生基盤の施工方法であって、
人工地盤上の所定位置に、前記排水マットを配置した後、外周縁を立ち上げて排水ピットを形成し、排水ピットの内方に、土壌を盛ることを特徴とする植生基盤の施工方法。
【請求項５】
請求項３に記載の植生基盤の施工方法であって、
複数の前記排水マットを幅方向に隣り合わせて配置し、隣り合う排水ドレン同士を連結するとともに、隣り合う保護シートどうし及び耐根兼透水シートどうし各々の端部を重ね合わせて固着手段を介して固着してユニットを形成した後、
該ユニットの外周縁を立ち上げて、人工地盤上の所定位置に排水ピットを形成し、該排水ピットの内方に土壌を盛ることを特徴とする植生基盤の施工方法。
【発明の詳細な説明】
【０００１】
【発明の属する技術分野】
本発明は、排水マット、排水マットを用いた植生基盤及び植生基盤の施工方法に関する。
【０００２】
【従来の技術】
従来より、都市部におけるヒートアイランド現象の緩和や大気の浄化、アメニティ空間の創出等を目的に、建物や駐車場等の人工地盤に対する緑化が試みられている。
人工地盤の緑化に用いる植生基盤には、例えば、特許文献１に示すように、植裁全体に樹脂製の排水マットを設置する構成や、特許文献２に示すように、植裁域全体に保水と排水の機能を持ったパネルを設置する構成等が考案されている。
【０００３】
【特許文献１】
特開２０００−１３９２００号公報
【特許文献２】
特開平８−２８０２５９号公報
【０００４】
【発明が解決しようとする課題】
しかし、上述する構成は、人工地盤に対する積載荷重等の関係から、植生基盤厚を十分に確保できないにもかかわらず、何れも植生基盤全域に対して排水層を設置しているため、植生基盤の土壌厚が排水層分薄くなる構成となっている。
また、排水層を形成する際には、基盤に保護シートを敷設し、その上に排水マットやパネルを設置し、透水シートを敷設して土壌を入れるという複数の作業が必要となり、施工に係る手間が生じていた。
【０００５】
上記事情に鑑み、本発明は、施工性が良く、構造物への重量負荷を低減することの可能な排水マット、植生基盤及び植生基盤の施工方法を提供することを目的としている。
【０００６】
【課題を解決するための手段】
請求項１記載の排水マットは、人工地盤の表面を保護する保護シートと、該保護シートの幅方向に延在し、長さ方向に所定の離間間隔をもって複数が平行に配置されて、保護シートの表面に固定手段を介して固定されており、保護シートの幅と比較して短小な部材長を有する排水ドレンと、前記保護シートの表面、及び排水ドレンの周面を一様に覆うように固着手段を介して固着されており、保護シート及び排水ドレンと植裁の根との接触を防止する耐根兼透水シートにより構成されることを特徴としている。
【０００７】
請求項２記載の植生基盤は、前記排水マットの外周縁を立ち上げて形成した排水ピットと、該排水ピットの内方で、所定の層厚まで盛られた土壌により構成されることを特徴としている。
【０００８】
請求項３記載の植生基盤は、前記排水ピットを構成する排水マットの排水ドレンが、その両端部を長さ方向に連結可能な形状に成形されており、前記排水ピットが、複数の排水マットを幅方向に連接して、隣り合う排水ドレンの端部どうしを連結するとともに、隣り合う保護シートどうし及び耐根兼透水シートどうし各々の端部を重ね合わせて固着手段を介して固着することにより構成されたユニットの、外周縁を立ち上げて形成されることを特徴としている。
【０００９】
請求項４記載の植生基盤の施工方法は、人工地盤上の所定位置に、前記排水マットを配置した後、外周縁を立ち上げて排水ピットを形成し、排水ピットの内方に、土壌を盛ることを特徴としている。
【００１０】
請求項５記載の植生基盤の施工方法は、複数の前記排水マットを幅方向に隣り合わせて配置し、隣り合う排水ドレン同士を連結するとともに、隣り合う保護シートどうし及び耐根兼透水シートどうし各々の端部を重ね合わせて固着手段を介して固着してユニットを形成した後、該ユニットの外周縁を立ち上げて、人工地盤上の所定位置に排水ピットを形成し、該排水ピットの内方に土壌を盛ることを特徴としている。
【００１１】
【発明の実施の形態】
以下、本発明に係る排水マット及び植生基盤を、図１から図５を用いて詳述する。本発明の排水マットは、層状に配置される人工地盤の表面を保護する保護シート及び耐根兼透水シートの間に、所定の離間間隔をもって複数の排水管が平行に配された状態でと一体化されており、排水管の配置位置のみが部分的に層厚を有する構成に形成されているため、該排水マットを植生基盤の排水層に適用することにより、植生基盤全体の層厚を抑制しながら、必要な土壌厚を確保するものである。
【００１２】
図１に示すように、排水マット１は、構造物や駐車場等の人工地盤５の上に配置されており、保護シート２、排水ドレン３、及び耐根兼透水シート４により構成されている。
該保護シート２は、人工地盤の表面を保護するための防水及防食機能を兼ね備えており、外力により変形自在なガラス繊維性不織布等により構成されている。また、排水ドレン３は、例えば雑排水や雨水等を、構造物の排水系統に排水するために一般に用いられる管体であり、外周面には中空部に連通する複数の孔が設けられている。さらに、耐根兼透水シート４は、透水性を有するとともに、表面に植裁の根が這っても定着することのない平滑面に形成されている。
これらは、前記保護シート２の表面に、複数の排水ドレン３が並列配置されており、保護シート２の表面及び排水ドレン３の外周面を一様に覆うように耐根兼透水シート４が配置されて、排水マット１を構成している。
【００１３】
該排水マット１は、保護シート２の幅方向に延在する前記排水ドレン３を、保護シート２の長さ方向に所定の離間間隔をもって複数配置された状態で前記保護シート２の表面に固定手段を介して固定されているとともに、前記保護シート２及び排水ドレン３と、耐根兼透水シート４とが面どうしで当接されて固着手段を介して固着されて一体化されていることから、保護シート２の長さ方向、つまり排水マット１の長さ方向に巻き取ることにより、ロール状に保管することが可能な構成となっている。
なお、本実施の形態では、前記排水ドレン３が、保護シート２の幅方向に延在するよう配置したが、必ずしもこれにこだわるものではなく、保護シート２の幅方向に対して角度を持たせて配置する構成としても良い。
【００１４】
ところで、前記排水ドレン３は、その両端部が複数を長さ方向に連結可能な構成に形成されている。したがって、図３に示すように、複数の前記排水マット１を幅方向に隣り合わせて配置し、隣り合う排水ドレン３の端部どうしを連結することにより、排水マット１の敷設面積を幅方向にも自在に拡大することができるものである。
本実施の形態では、所定の幅にモジュール化した排水マット１を、幅方向に２体連接する構成を示したが、必ずしもこれにこだわるものではなく、連接する数量を増やす、もしくは、幅の異なる排水マット１を複数パターン作成しておき、敷設したい面積に応じて自在に組み合わせる構成としてもよい。
また、前記排水ドレン３は、その両端部を必ずしも長さ方向に連結可能な構成に形成する必要はなく、長さ方向に隣り合う排水ドレン３の端部どうしを当接させて、連結手段を介して連結する構成としてもよい。
【００１５】
なお、前記排水ドレン３は、前記保護シート２に収まるよう、保護シート２の幅と比較して短小な部材長に成形されているため、隣り合う排水ドレン３の端部どうしを連結すると、図３に示すように、隣り合う保護シート２どうし及び耐根兼透水シート４どうしは、端部が各々重なり合う構成となっている。これら重なり合った保護シート２どうし及び耐根兼透水シート４どうしは、各々接着剤等の固着手段を介して固着されている。
【００１６】
上述する構成の排水マット１によれば、図２に示すように、保護シート２、排水ドレン３及び耐根兼透水シート４が層状に重ねられて一体に形成されているとともに、図１に示すように、ロール状に保管できることから、現場にこれらを持参し、所望の位置で人工地盤５を覆うように拡げるのみで排水層の施工が完了するため、保護シート２及び耐根兼透水シート４を現場で敷設していた従来の排水層と比較して、施工性を大幅に向上することができるとともに工費削減、工期短縮を実現することが可能となる。
【００１７】
このような構成の排水マット１を利用した植生基盤７を以下に示す。
図４に示すように、該植生基盤７は、排水ピット８と土壌６により構成されている。該排水ピット８は、前述した排水マット１の四方の外周縁を立ち上げることにより形成されており、前記人工地盤５の所望位置に配置されている。また、前記土壌６は、前記排水マット１により形成した排水ピット８の内方に盛られており、植裁に必要な土壌厚が確保されている。
【００１８】
該植生基盤７では、前記排水ピット８に排水マット１を用いているため、排水ドレン３の配置位置のみ部分的に排水層としての部材厚を有し、他の領域ではほぼ部材厚が無い。これにより、排水ピット８の内方に盛られる土壌６の土壌厚は全領域を見ると、人工地盤５上に直接土壌６を盛る場合とほぼ同様の厚さとなるため、排水層の層厚を考慮することなく、植裁に必要な土壌厚を容易に確保することが可能となる。
【００１９】
また、植生基盤７の施工方法は、図５（ａ）に示すように、人工地盤５上の所定位置に前記排水マット１を配置した後、図５（ｂ）に示すように、外周縁を立ち上げ排水ピット８を形成し、該排水ピット８の内方に、土壌６を盛るのみで完了する。これにより、施工性が良く、工費削減、工期短縮に寄与することが可能となる。
【００２０】
なお、例えば、植生基盤７を広い面積で構築したい場合には、図３に示したように、複数の排水マット１を幅方向に連結してユニットを構築し、該ユニットの四方の外周縁を立ちあげて前記排水ピット８を構築すればよい。
その施工方法は、人工地盤５上の所定位置に前記排水マット１を幅方向に複数配置した後、隣り合う排水ドレン３の端部どうしを連結するとともに、隣り合う保護シート２どうし及び耐根兼透水シート４どうしの重なり合う端部各々に接着剤等の固着手段を介して固着してユニットとした後、該ユニットの外周縁を立ち上げて、排水ピット８を形成すればよい。なお、排水マット１を幅方向に連結して構築するユニットは、必ずしも植生基盤７を構築したい人工地盤５上で構築する必要はなく、あらかじめユニットを作成しておき、これを植生基盤７を構築したい人工地盤５上に搬入する手順としても良い。これにより、所望の面積を有する植生基盤７を、簡略な構成でかつ経済的に構築することが可能となる。
【００２１】
【発明の効果】
請求項１記載の排水マットによれば、人工地盤の表面を保護する保護シートと、該保護シートの幅方向に延在し、長さ方向に所定の離間間隔をもって複数が平行に配置されて、保護シートの表面に固定手段を介して固定されており、保護シートの幅と比較して短小な部材長を有する排水ドレンと、前記保護シートの表面、及び排水ドレンの周面を一様に覆うように固着手段を介して固着されており、保護シート及び排水ドレンと植裁の根との接触を防止する耐根兼透水シートにより構成される。
これにより、保護シート、排水ドレン及び耐根兼透水シートが一体に形成されているとともに、ロール状に保管できることから、現場にこれらを持参し、所望の位置で人工地盤を覆うように拡げるのみで排水層の施工が完了するため、簡略な構成で容易に排水層を形成することが可能となる。
【００２２】
請求項２記載の植生基盤によれば、前記排水マットの外周縁を立ち上げて形成した排水ピットと、該排水ピットの内方で、所定の層厚まで盛られた土壌により構成される。
これにより、前記排水マットが、排水ドレンの配置位置のみ部分的に部材厚を有するものの、他の領域ではほぼ部材厚が無いことから、植生基盤の土壌厚は、人工地盤上に直接土壌を盛る場合とほぼ同様の厚さとなるため、排水層の層厚を考慮することなく、植裁に必要な土壌厚を容易に確保することが可能となる。
【００２３】
請求項３記載の植生基盤によれば、前記排水ピットを構成する排水マットの排水ドレンが、その両端部を長さ方向に連結可能な形状に成形されており、前記排水ピットが、複数の排水マットを幅方向に連接して、隣り合う排水ドレンの端部どうしを連結するとともに、隣り合う保護シートどうし及び耐根兼透水シートどうし各々の端部を重ね合わせて固着手段を介して固着することにより構成されたユニットの、外周縁を立ち上げて形成される。
これにより、所望の面積を有する植生基盤を、簡略な構成でかつ経済的に構築することが可能となる。
【００２４】
請求項４及び５記載の植生基盤の施工方法によれば、人工地盤上の所定位置に、前記排水マットを配置した後、外周縁を立ち上げて排水ピットを形成し、排水ピットの内方に、土壌を盛る。
または、複数の前記排水マットを幅方向に隣り合わせて配置し、隣り合う排水ドレン同士を連結するとともに、隣り合う保護シートどうし及び耐根兼透水シートどうし各々の端部を重ね合わせて固着手段を介して固着してユニットを形成した後、該ユニットの外周縁を立ち上げて、人工地盤上の所定位置に排水ピットを形成し、該排水ピットの内方に土壌を盛る。
これにより、作業が単純化されて施工性が良く、工費削減、工期短縮に寄与することが可能となる。
【図面の簡単な説明】
【図１】本発明に係る排水マットの概略を示す図である。
【図２】本発明に係る排水マットの詳細を示す図である。
【図３】本発明に係る複数の排水マットを連結したユニットを示す図である。
【図４】本発明に係る排水マットを用いた植生基盤を示す図である。
【図５】本発明に係る植生基盤の施工方法を示す図である。
【符号の説明】
１  排水マット
２  保護シート
３  排水ドレン
４  耐根兼透水シート
５  人工地盤
６  土壌
７  植生基盤
８  排水ピット
【図１】
2005027561.tif 000003
【図２】
2005027561.tif 000004
【図３】
2005027561.tif 000005
【図４】
2005027561.tif 000006
【図５】
2005027561.tif 000007